(57)【要約】【課題】  コンピュータを利用して映像の記録再生装置を制御する装置において、映像の記録再生状態を監視作業を支援するために、画像認識によって映像の記録再生状態をコンピュータに監視させ、画像のデータを保持し、その保持したデータを状態の記録として用いる方法を提供する。【解決手段】  コンピュータが、入力された映像信号を画像認識によって監視し、シーンの変化点の検出とノイズの検出を行う。検出した画像のデータをファイルに保持し、映像の記録再生状態の記録結果(ログ)として用いることにより、作業者の監視作業を支援する。【選択図】  図１
2005245011.tif 000002
【特許請求の範囲】
【請求項１】
映像を映像記録媒体に記録再生する手段を有する映像システムにおいて、再生した映像から少なくとも映像の異常を検出するステップと、該検出された少なくとも映像の異常の開始点の映像を静止画として抽出するステップと、該抽出された少なくとも映像の異常の静止画を保持するステップとを有し、該保持された少なくとも映像の異常の静止画を一欄表示することによって映像システムの状態の異常を監視することを特徴とする映像システムの状態監視方法。
【請求項２】
請求項１に記載の発明において、前記検出された少なくとも映像の異常の開始点の時刻を抽出するステップを有し、該抽出された各時刻を前記抽出された各静止画と関連付けて保持するステップを具備することを特徴とする映像システムの状態監視方法。
【請求項３】
請求項２に記載の発明において、前記保持された少なくとも映像の異常の各静止画と該各静止画と関連付けられた各時刻とを一欄表示するステップを具備することを特徴とする映像システムの状態監視方法。
【請求項４】
請求項２または請求項３に記載の発明において、前記一欄表示された静止画から選択した少なくとも映像の異常の静止画と関連付けられた時刻を開始位置として映像を再生するステップを具備することを特徴とする映像システムの状態監視方法。
【請求項５】
請求項４に記載の発明において、前記選択した静止画に関連した映像を、前記一欄表示する静止画と別に再生表示することを特徴とする映像装置の状態監視方法。
【発明の詳細な説明】
【技術分野】
【０００１】
本発明は、コンピュータを利用して映像の記録再生装置を制御する装置において、装置が映像の記録再生状態を監視し、画像のデータ保持して、それを状態の記録として用いることにより、映像の記録再生状態の監視作業を支援する方法に関するものである。
【背景技術】
【０００２】
一般的な、コンピュータを利用した映像システムの説明を図２、図３、図４、図７を用いて説明する。図２は従来の映像編集装置の構成の一例を示すブロック図で、２０１は映像再生装置、２０２は第１のモニタ、２０３は制御用コンピュータ、２０４はディスプレイ、２０５はキーボード、２０６はマウス、２０７は映像記録再生装置、２０８は映像素材、２０９は第２のモニタ、２１０は映像記録媒体、２１１はログファイル部、１０は映像信号ケーブルである。制御用コンピュータ２０３は、映像再生装置２０１，映像記録再生装置２０７，ログファイル部２１１，ディスプレイ２０４，キーボード２０５，マウス２０６に接続している。映像素材２０８は前記映像再生装置２０１に接続し、第１のモニタ２０２は前記映像再生装置２０１に映像信号ケーブル１０で接続され、映像記録媒体２１０は前記映像記録再生装置２０７に接続し、第２のモニタ２０９は前記映像記録再生装置２０７に映像信号ケーブル１０で接続されている。前記映像再生装置２０１と前記映像記録再生装置２０７とは映像信号ケーブル１０で接続されている。
【０００３】
図２において、制御用コンピュータ２０３はソフトウエアの働きにより映像装置のシステム制御を行う。映像再生装置２０１は映像素材２０８の映像を再生する。該映像再生装置２０１で再生された映像は第１のモニタ２０２と映像記録再生装置２０７に送られ、該第１のモニタ２０２は再生画像を表示する。前記映像記録再生装置２０７は入力された映像を映像記録媒体２１０に記録する。また、前記映像記録再生装置２０７は前記映像記録媒体２１０に記録された画像を再生し、前記第２のモニタ２０９に送り、前記第２のモニタ２０９は送られてきた映像を表示する。前記制御用コンピュータ２０３は、周辺機器として、ディスプレイ２０４、キーボード２０５、マウス２０６、ログファイル部２１１を持つ。前記制御用コンピュータ２０３は、前記ディスプレイ２０４に押しボタン等の機能を代替えするためのグラフィカル・ユーザ・インターフェース(Graphical User Interface：以後、ＧＵＩと称す)を用いた操作・制御画面を表示させ、前記キーボード２０５と前記マウス２０６の少なくとも一方を操作することによってこの映像装置のシステム制御を行っている。
【０００４】
図３は前記ディスプレイ２０４に表示される前記ＧＵＩを用いた操作・制御画面の一例で、３０は操作・制御画面、３０２−１，３０２−２，３０２−３は操作・制御画面３０上のメッセージボックスやダイアログボックス等の表示画面で、３０１は表示画面３０２−１上のグラフィックス部品の押しボタンである。図３において、ダイアログボックスの表示画面３０２−３はメッセージの表示画面３０２−２の前面に表示されているが、該メッセージの表示画面３０２−２の中に前記マウス２０６のカーソルを移動させクリックすることにより前記ダイアログボックスの表示画面３０２−３の前面に表示させることができる。このような画面の表示の前面・後面または別の場所への移動はＧＵＩ画面の特徴で、他のＧＵＩ画面でも可能である。尚、クリックとは、例えば前記ディスプレイ２０４に表示されたＧＵＩを用いた前記操作・制御画面３０で、前記マウス２０６を使用して前記押しボタン３０１上にカーソル等のポインタを重ね合わせ、前記マウス２０６に付属している押しボタンスイッチの定められた１つを押す操作をいう。このようにディスプレイ上でマウス，トラックボール等のポインティング・デバイスを使って操作する場合の操作・制御画面をＧＵＩ画面という。またその他に、押しボタン操作はキーボード２０５の特定のキーを割り当てているので、当該の割当てられたキーを押すことによりクリックと同様の操作を行うこともでき、操作者は前記ポインティング・デバイスと前記キーボード２０５の両者を適当に使用して、映像装置を操作する。
前記制御用コンピュータ２０３は、制御対象機器を制御できるように映像再生装置２０１や映像再生記録装置２０７との間を制御用ネットワークケーブル(例えば、ＲＳ−４２２Ａ規格インターフェース)で接続している。
【０００５】
図７は映像装置の現在のシステム制御状態を説明するメッセージ表示のＧＵＩ画面の一例で、７０１はシステムの状態を説明するメッセージ、７０２はシステムの進行状態を模式的に表示した図形、７０３はこの命令をキャンセルするためのボタン、７０はシステムの状態を説明するメッセージが書かれた表示画面であり、このメッセージ画面は前記操作・制御ウインドウ３０上に表示される。図４は異常を説明するメッセージの表示のＧＵＩ画面の一例で、４０１は異常を説明するメッセージ(エラーメッセージ)、４０２は異常であることを強調したまたは異常状態の等級を示す異常表示マーク、４０は異常を説明するメッセージ４０１が書かれた画面(エラーメッセージ画面)であり、このエラーメッセージ画面も前記操作・制御ウインドウ３０上に表示される。４０３はグラフィックス部品の押しボタンで前記メッセージ４０１のメッセージを確認した後前記警告メッセージ画面４０を閉じるために押すボタンである。
【０００６】
映像素材２０８(例えば、ビデオテープ)を、映像の記録再生が可能な映像記録媒体２１０(例えば、ハードディスク)にダビングする場合、操作者は次のように作業を行う。まず、前記映像素材２０８を映像再生装置２０１から再生可能な状態にする。また、前記映像記録媒体２１０を映像記録再生装置２０７から記録可能な状態にする。そして、ディスプレイ２０４に表示されているＧＵＩ画面上において、ダビングを開始するボタンをクリックし、ダビングを開始する。このダビングが正常に行われているかどうかを操作者が確認できるように、前記画面３０の前面に、映像システムの現在の状態を説明するメッセージ７０１(図７)が書かれた画面７０(図７)がポップアップ表示され、システムの現在の状態が表示される。異常が発生した場合には、前記制御用コンピュータ２０３に付属しているアラームが鳴り、異常を説明するエラーメッセージ４０１(図４)が書かれたエラーメッセージ画面４０(図４)がポップアップ表示され、異常を操作者に知らせる。例えば前記制御用コンピュータ２０３が、前記映像再生装置２０１に映像の再生を指示した後、一定時間内に再生が実行されないような場合は異常と判断し、「再生側の装置を再生できませんでした。」というエラーメッセージ４０１が表示される。
【０００７】
また前記制御用コンピュータ２０３は、監視した結果を前記操作・制御ウインドウ３０に表示するだけでなく、記録として保持するためにログファイル部２１１に書き込みを行う。これによって該ログファイル部２１１には、前記制御用コンピュータ２０３が出した制御命令と、前記映像再生装置２０１や前記映像記録再生装置２０７からの応答等が、日時と共に発生した順にテキスト形式で書き込まれる。従って、操作者は映像システムの状態を監視するために、常に前記操作・制御ウインドウ３０を見ている必要がない。即ち、操作者がこの映像システムから離れても、後で前記ログファイル部２１１の内容を確認することによって、この映像システムから離れていた時間の映像システムの状態を確認することができる。例えば、操作者が映像システムの前に戻ってきたときに、前記ディスプレイ２０４において前記操作・制御ウインドウ３０上のエラーメッセージ画面４０に「再生側の装置を再生できませんでした。」というエラーメッセージ４０１が出ていても、操作者は第１のモニタ２０２の再生映像を見ていないので、いつの時点から再生されなかったかを知ることができない。しかし前記ログファイル部２１１には、前記制御用コンピュータ２０３が出した命令が、いつの時点では正常に受け付けられ、どの時点から異常となったのかの情報が書き込まれているため、操作者はいつ異常が発生したかを知ることができる。もちろん、この確認は、操作者がこの映像システムを離れていない場合でも制御状態の異常の見逃しを防ぐために何度も行うことができる。
【０００８】
以上のように異常なくダビングが終了した後、前記映像記録媒体２１０の映像がノイズなどによって乱れていないかなど、映像の再生状態や記録側の記録状態を確認するために、操作者は前記映像記録媒体２１０の映像を第２のモニタ２０９で再生または早送りして映像を目で確認する作業を行う。
【特許文献１】特開平９-１３９９１３号公報
【特許文献２】特開平４-１１７６８６号公報
【発明の開示】
【発明が解決しようとする課題】
【０００９】
以上述べたように、従来技術による映像装置のシステム制御の状態監視方法では、発生した状態を画面に表示したり、システムが実行した命令を記録として保存していた。これにより、操作者が常にシステムの状態を監視する必要がなくなり、操作者はいつでも自由な時間に記録された内容を調べられるため操作者の作業が軽減した。しかし、保存された記録の内容は、制御用コンピュータが制御対象装置に指示した命令と該制御対象装置の応答などであり、再生された映像の状態や記録された映像の状態の異常、すなわち、ノイズによる映像の乱れ，色がなくなる，同期の乱れ等の映像の画質に関係するものは操作者が実際に目で最初から最後まで映像を見ないと確認できなかった。
また、映像信号ケーブルが外れたとか断線した等の、装置の外部的な要因による異常の場合には映像信号を正しく記録できないため、異常として判断が困難であった。以上の問題があったため、操作者が映像が正しく記録されているかを知るためには、映像を再生させて目で確認しなくてはならず、操作者の調査する時間が長くかかり、最悪の場合は見逃してしまって重大な放送事故に至ってしまうという問題があった。また更に、サブリミナル画像が挿入されていた場合には、通常の再生速度でも操作者は確認できないという問題があった。
本発明の目的は上記のような欠点を除去し、映像の再生状態や記録状態の異常を、操作者が早く、正しく知ることができる監視方法を提供することにある。
【課題を解決するための手段】
【００１０】
本発明は上記目的を達成するために、映像を映像記録媒体に記録再生する手段を有する映像システムにおいて、再生した映像から少なくとも映像の異常を検出するステップと、該検出された少なくとも映像の異常の開始点の映像を静止画として抽出するステップと、該抽出された少なくとも映像の異常の静止画を保持するステップとを有し、該保持された少なくとも映像の異常の静止画を一欄表示することによって映像システムの状態の異常を監視するものである。
また、検出された少なくとも映像の異常の開始点の時刻を抽出するステップを有し、抽出された各時刻を抽出された各静止画と関連付けて保持するステップを具備するものである。
また、保持された少なくとも映像の異常の各静止画と該各静止画と関連付けられた各時刻とを一欄表示するステップを具備するものである。
また、一欄表示された静止画から選択した少なくとも映像の異常の静止画と関連付けられた時刻を開始位置として映像を再生するステップを具備するものである。
また、選択した静止画に関連した映像を、一欄表示する静止画と別に再生表示するものである。
【００１１】
即ち、制御用コンピュータの画像認識によって、映像の再生状態と記録状態を監視し、映像のシーンの変わり目や映像の異常を自動検出し、そのときの映像の静止画を取得し、取得した静止画を画面へ表示し、かつログファイルに画像として保管することとしたものである。
このため、制御用コンピュータに映像信号を入力し、該制御用コンピュータが映像の再生状態と記録状態とを監視し、ソフトウエアによって映像のシーンの変わり目の検出と映像の異常検出を行う。そして、検出した画像のデータを保持し、かつディスプレイ上への表示と記憶装置への保管を行うものである。
以上により操作者は、この一連の静止画表示を見ることによって、映像の再生状態や記録状態の異常を検知する監視方法を実現したものである。
【発明の効果】
【００１２】
以上のように本発明によれば、入力された映像のシーンの変化点の検出と、ノイズによる映像の乱れの検出を自動的に行い、映像のシーンの変化点の静止画像とノイズにより映像が乱れた時点の静止画像とをログファイルとして保持することにより、今までに再生または記録された映像を作業結果のログとして保持できる。
また、本発明の第２の効果として、ケーブルが外れた場合やテープの映像が終わった場合などでは、映像のシーンの変化点が長時間なく、ログ画像が例えば青一色のような表示画面となるため、早く異常を感知することができ、その静止画が検出された位置により、どの映像に問題があるのかすぐ分かり、必要な箇所だけ、映像をすばやく確認し、対策することができる。
特に前記映像記録媒体２０７にランダムアクセスが可能な記録媒体(例えば、ハードディスク)を用いることによって、映像の記録中でも再生が可能である。このような場合、映像の記録作業中に、映像記録作業を中止することなく任意の位置を再生することができる。従って、映像記録作業中でもノイズが検出されたなら、作業を中断することなく、映像の確認を行うことができる。
また、本発明の第３の効果として、画像の色がなくなるとか、赤色が消える等の現象が検知でき、その静止画の位置により、どの映像に問題があるのかすぐ分かり、必要な箇所だけ、映像をすばやく確認し、対策することができる。
また、本発明の第４の効果として、サブルミナル画像の検出も可能となり、その静止画の位置により、必要な箇所だけ、映像をすばやく確認し、修復することができる。
また、本発明の第５の効果として、同期の乱れの検出も可能なため、その静止画の位置により、必要な箇所だけ、映像をすばやく確認し、記録し直すことができる。
また、本発明の第６の効果として、ノンリニア映像システムにおいては、映像の記録中でも、再生が可能であるため、記録を続行しながら、画像の確認が行える。よってモニターし続けなくても、記録の途中の段階で問題のある部分だけ確認でき、効率よく、作業の進み具合や、映像の再生、記録のチェックを行うことができる。
【発明を実施するための最良の形態】
【００１３】
本発明の一実施例を図１、図４、図５、図６、図８、図９を用いて説明する。図８は本発明を用いた映像編集装置の構成の一例を示すブロック図で、８０１はスイッチャ、８０２はログ画像ファイル部であり、他の符号は図２の従来技術の構成例を示すブロック図と同じである。制御用コンピュータ２０３は、映像再生装置２０１，映像記録再生装置２０７，スイッチャ８０１，ログファイル部２１１，ログ画像ファイル部８０２，ディスプレイ２０４，キーボード２０５，マウス２０６に接続している。映像素材２０８は前記映像再生装置２０１に接続し、該映像再生装置２０１は第１のモニタ２０２とスイッチャ８０１にそれぞれ映像信号ケーブル１０で接続している。映像記録媒体２１０は前記映像記録再生装置２０７に接続し、該映像記録再生装置２０７は第２のモニタ２０９と前記スイッチャ８０１に映像信号ケーブル１０で接続している。また、該スイッチャ８０１は前記制御用コンピュータ２０３との間に制御用ネットワークケーブルの他に映像信号ケーブル１０で接続している。
【００１４】
図８において、制御用コンピュータ２０３はソフトウエアの働きにより映像装置のシステム制御を行う。映像再生装置２０１は該制御用コンピュータ２０３の指示によって、映像素材２０８の映像を再生し第１のモニタ２０２とスイッチャ８０１に送る。該第１のモニタ２０２は再生画像を表示する。前記スイッチャ８０１は、前記映像再生装置２０１から入力された映像を映像記録再生装置２０７に送り、該映像記録再生装置２０７は入力された映像を映像記録媒体２１０に記録する。
また、前記映像記録再生装置２０７は前記映像記録媒体２１０に記録された画像を再生し、前記第２のモニタ２０９に送る。前記映像記録媒体２１０は、前記映像記録再生装置２０７から入力する映像データを記録する。前記映像記録再生装置２０７は、前記制御用コンピュータ２０３の指示によって、前記映像記録媒体２１０の映像を再生し、第２のモニタ２０９と前記スイッチャ８０１に送る。該第２のモニタ２０９は送られてきた映像を表示する。
【００１５】
前記スイッチャ８０１は、前記制御用コンピュータ２０３の指示によって、
(１)  前記映像再生装置２０１から入力された映像を、前記映像記録再生装置２０７に送る。
(２)  前記映像記録再生装置２０７から入力された映像を、前記制御用コンピュータ２０３に送る。
(３)  前記映像再生装置２０１から入力された映像を、前記制御用コンピュータ２０３に送る。
のように映像信号経路を切換える。この切換えは、(１)，(２)，(３)それぞれ単独での切換えの他、例えば、(１)と(２)同時や(１)と(３)同時に行うことができる。
前記制御用コンピュータ２０３は、周辺機器として、ディスプレイ２０４、キーボード２０５、マウス２０６、ログファイル部２１１、ログ画像ファイル部８０２を持つ。該ディスプレイ２０４、キーボード２０５、マウス２０６、ログファイル部２１１は従来の技術と同様の機能を持ち、前記ログ画像ファイル部８０２は静止画像を保持する。
【００１６】
前記制御用コンピュータ２０３は、前記スイッチャ８０１から入力した画像をソフトウエアにより監視して、例えばシーン変化点とノイズによる映像の乱れ、サブリミナル画像の有無等の検出を行い、発生した時刻をタイムコードとして付加した静止画像をログ画像データとして、前記ログ画像ファイル部に保持する。前記ディスプレイ２０４にはＧＵＩ操作・制御画面が表示されている。
前記ログ画像を見たい場合には、前記ディスプレイ２０４に表示されている前記ＧＵＩ操作・制御画面のログ画像表示ボタンをクリックすることによって、該画面の前面に前記ログ画像を表示した画面をポップアップする。シーンの変化点の位置で画像を抽出する方法としては、例えば、特開平４−１１１１８１号公報に開示されているように、コンピュータの画像認識によってシーンの変化点を検出する方法がある。
またサブリミナル画像の挿入の有無の検出方法については、シーンのカット分割で次のカット分割との検出間隔が、例えば１フレームから数フレーム分しかないものを検出する方法があり、逆にシーンのカット分割で次のカット分割との検出間隔が、以上に長い場合は接続ケーブルが外れたり断線したと考えられるので、この場合もある程度検出できる。
【００１７】
図６は前記ディスプレイ２０４に表示されたＧＵＩ操作画面６０の一例で、６０はＧＵＩ操作画面、６００はダビング開始ボタン、６０１は映像再生パネル、６０２は映像信号の切換えを行う切換パネル、６０３はログ画像の表示を指示するログ画像表示ボタン、６０４は映像再生パネル操作部である。
映像素材２０８(例えば、ビデオテープ)を、映像の記録再生が可能な映像記録媒体２１０(例えば、ハードディスク)にダビングする場合、操作者はディスプレイ２０４に表示されているＧＵＩ画面６０上において、ダビング開始ボタン６００をクリックし、ダビングの開始を制御用コンピュータ２０３に指示する。これにより、該制御用コンピュータ２０３はダビングを行うための制御命令を映像再生装置２０１と映像記録再生装置２０７に出力する。
そして、該映像記録再生装置２０７が映像記録媒体２１０に映像を記録し、並行して該記録された映像を再生し始めると、該再生された映像はスイッチャー８０１を介して制御用コンピュータ２０３に入力するので、制御用コンピュータ２０３は該入力された映像の監視を開始する。
【００１８】
図５は映像システムを監視するソフトウエアの一例を説明する図で、ノイズの検出とシーンの変化点の検出を行うフローチャートである。  制御用コンピュータ２０３は該入力された映像の監視を開始する(ステップ５０１)。  そして１フレーム毎の画像とそのタイムコードを取得する(ステップ５０２)。  次にその画像にノイズが検出されたかどうかを確認し、ノイズが検出されなかったらステップ５０６へ進み、ノイズが検出されたらステップ５０４へ進む(ステップ５０３)。  ステップ５０６において、その画像がシーンの変化点であるかどうか判定し、シーンの変化点であったら、ステップ５０７へ進み、シーンの変化点でなければステップ５０２へ戻る(ステップ５０６)。
ステップ５０７においては、その画像とタイムコードをシーンの変化点としてログ画像ファイル部８０２に保存する(ステップ５０７)。  ステップ５０４では、ノイズを検出したことにより操作者に注意を促すための警告を出す(ステップ５０４)。  そしてノイズが検出された画像とタイムコードを、ノイズ検出点としてログ画像ファイル部８０２に保存する(ステップ５０５)。  ステップ５０５とステップ５０７の次には、映像が終了かどうかの確認を行い、映像がまだ続いているならばステップ５０２へ戻り、映像が終了したならばステップ５０９へ進む(ステップ５０８)。  ステップ５０９では映像の監視を終了する(ステップ５０９)。
【００１９】
以上で述べたノイズの検出以外にも、サブリミナル画像の検出等や他の種類の映像の品質のチェックも、上記と同様の方法で行うことができる。  上述のステップ５０４において、前記制御用コンピュータ２０３が操作者に注意を促すための警告は、異常を警告するアラーム音やを発生するとともに図９に示すように、ＧＵＩ画面６０に「ノイズが検出されました。確認してください」というメッセージ４０１’を表示した異常を説明するメッセージが書かれた画面４０’を表示する。
操作者はメッセージを確認したならば、前記メッセージ４０１’のメッセージを確認した後、前記警告メッセージ画面４０を閉じるためにグラフィックス部品の押しボタン４０３’を押す。  前述の他に、従来例で説明した異常が発生した場合にも、前記制御用コンピュータ２０３に付属しているアラームが鳴り、異常を説明するエラーメッセージ４０１(図４Ｒ＞４)が書かれたエラーメッセージ画面４０(図４)がポップアップ表示され、異常を操作者に知らせる。
【００２０】
また、前述の異常を警告するものは、音だけではなく、光、振動、等補助動物または操作者が感じることのできるものすべてあるいはその複合が考えられる。更に、ログ画像ファイル部８０２だけではなく、ログファイル部２１１に検出した異常の種類・時刻等をテキスト形式で書込むことで、該ログファイル部２１１の内容を確認することで、ノイズ等が発生した前後の映像装置の異常と関連付けて、異常の診断を従来より的確に行うことができる。また、これら異常の警告は、インターネット回線やＬＡＮに接続することにより、離れた場所からも監視できる。
さて、ダビング終了後またはダビングの途中において、操作者は前記映像記録媒体２１０に記録された映像の品質を確認するためにログ画像を見る。操作者は前記ディスプレイ２０４上に表示される前記ＧＵＩ操作画面６０のログ画像表示ボタン６０３をマウス２０６によってクリックする。前記ＧＵＩ操作画面６０の前面にログ画像表示パネルが表示され、該ログ画像表示パネルには前記ログファイル部２１１に記録されていたログ画像データが表示される。
【００２１】
図１は前記ディスプレイ２０４に表示されるログ画像表示パネルの一例を説明する図である。図１において、１０はログ画像表示パネル、１０１−１，１０１−２，１０１−３，１０１−４，１０１−５，１０１−６，１０１−７，１０１−８は前記ログ画像ファイル部８０２に保持された一連の静止画像、１０２−１，１０２−２，１０２−３，１０２−４，１０２−５，１０２−６，１０２−７，１０２−８は検出した位置の情報を表示するタイムコードで“時：分：秒：フレーム番号”を表す(例えばタイムコード１０２−１の“００：００：０２：１３”は作業開始２秒１３フレームを表す)。  １０３は取得した一連の静止画像１０１−１，１０１−２，１０１−３，１０１−４，１０１−５，１０１−６，１０１−７，１０１−８のうちでノイズが検出された画像に表示する色枠、１０４はログ画像表示パネル１０を閉じるボタン、１０５はスクロールバーである。  前記一連の静止画像１０１−１，・・・は検出された時間の順番に前記ログ画像表示パネル１０に表示可能な数だけ表示される。  図１では前記ログ画像表示パネル１０に１度に表示できる数は８個であるが、それより少ない場合はその数だけ表示され、多い場合は操作者が前記スクロールバー１０５を使って上下に画面をスクロールさせる等の方法によって、ログ画像の確認を行う。
【００２２】
次に、操作者は前記ログ画像表示パネル１０に表示されたログ画像を見て、映像記録媒体２１０に記録された映像の品質を確認を行う必要があるログ画像を選択する。
映像の品質を確認するために、操作者は前記制御用コンピュータ２０３は前記ディスプレイ２０４上に表示される前記ＧＵＩ操作画面６０の映像再生パネル６０１に再生映像を表示する。  該映像再生パネル６０１に表示される映像は前記映像再生装置２０１と前記映像記録再生装置２０７から再生された画像で、スイッチャ８０１によってどちらかが選択されて表示される。操作者は、この映像信号の選択を切換パネル６０２によって行う。
【００２３】
例えば、前記映像再生装置２０１からの映像を見たい場合は、前記切換パネル６０２の“Ａ”の表示ボックスにチェックを入れ、前記映像記録再生装置２０７の映像を見たい場合は、前記切換パネル６０２の“Ｂ”の表示ボックスにチェックを入れる。図６の場合、現在前記切換パネル６０２の“Ａ”の表示ボックスにチェックが入っているので、前記表示パネル６０１では前記映像再生装置２０１からの再生映像が写し出される。また操作者は、表示パネル６０１に再生された画像を映像再生パネル操作部６０４のボタン群を操作することによって、“再生”、“早送り”、“逆送り、“ストップ”、“シャトル操作”等を行い、より綿密に確認を行うことができる。
【００２４】
以上述べたように、本発明では、例えば、操作者がダビングの終了まで映像編集システムから離れ、終了後に戻ってきたとすると、この時編集したすべての映像を目で確認しなくても、前記ＧＵＩ操作画面６０に表示されたメッセージ画面４０及びログ画像表示パネル１０により、映像にノイズが検出されたことを知ることができる。図１の色枠１０３で強調されている画像１０１−４をクリックすると、前記制御用コンピュータ２０３の制御により、前記切換えパネル６０２で選択されている方の媒体を頭出して再生させるので、操作者は前記切換えパネル６０２を“Ｂ”に切換えて第２のモニタ２０９で映像を確認する。映像にノイズがあった場合、更に操作者は前記切換えパネル６０２を“Ａ”に切換えて第１のモニタ２０２で映像を確認して、元の映像素材２０１の方にノイズがあるか否かを確認すれば、前記映像記録媒体２０７だけにノイズがあるのか、前記元の映像素材２０１自体にノイズがあるのか、などといった原因をすばやく追求することができる。この様に、映像品質の確認は、ディスプレイ２０４の映像再生パネル６０１への表示だけではなく、ログ画像と、映像再生装置２０１と前記第１のモニター２０２及び前記映像記録再生装置２０７と前記第２のモニタ２０９とをリンクさせることにより、選択したログ画像と関連付けられた映像が前記第１のモニタ２０２に及び、前記第２のモニタ２０９にそれぞれ写し出されることにより更に詳細に確認することができる。
【００２５】
またサブリミナル画像の検出やケーブル外れ・断線のように、ノイズ検出以外の異常についても自動的に行い、ノイズの検出と同じまたは区別するような色枠または模様枠をつけてログ画像表示を行うことにより、ノイズの検出と同様の結果が得られる。このように、異常と考えられる、または異常な状態となりうる画像を自動的に検出し、そのタイムコードとともに記憶しておくことにより、操作者が映像編集装置から離れていても後から確認できる上、操作者が映像編集装置から離れていなくても何度も確認し直すことができる。この検出した異常の種類、異常の緊急度、その他操作者が欲しい要求に対して区別できるように、ログ画像に付ける色枠は、枠の幅・形状を含め、色(白色、黒色、透明色も含む)、模様等のあらゆる組合せが適用できるのは言うまでもない。また、枠以外の形状や記号等のアクセントを付けることでも可能である。
【００２６】
また、サブリミナル画像があった場合は次の映像のシーンの変化点がすぐあること、更に映像装置の接続ケーブルが外れた場合やテープの映像が終わった場合などでは、映像のシーンの変化点が長い時間なく、ログ画像が例えば青一色のような表示画面となるため、早く異常を感知することができ、その静止画の位置により、どの映像に問題があるのかすぐ分かり、必要な箇所だけ、映像をすばやく確認し、対策することができる。更に、ＤＣクランプが外れた場合は解像度が落ちるため(数ライン分の絵が消える)判定できる他、色がなくなるまたは赤色だけ消える等の現象や、同期の乱れによる画像の乱れなども、ログ画像を見ることにより素早く見つけ出すことができる。
【００２７】
以上のように、記録した映像の品質が悪い場合には、対象のログ画像を選択することにより、まず元からの映像素材の品質が悪いのか、それともその元からの映像素材を再生したときまたは記録するときに問題があったのかを素早く確かめる。そして、元からの映像素材の品質が悪い場合には、その元からの映像素材の交換をする。また、映像装置の再生状態や記録状態が悪かった場合には、異常の箇所を取直す。
また、以上述べた映像装置及び映像装置の状態監視方法の実行を、記録媒体に記録された手順によって行ってもよい。尚、この状態監視方法の手順が記録された記録媒体は、フレキシブルディスク、コンパクトディスク、光ディスク等、種々の形態を用いることができる。
【図面の簡単な説明】
【００２８】
【図１】本発明方法のログ画像表示パネルの一例を示す図。
【図２】従来の映像編集装置の構成例を示すブロック図。
【図３】従来方法のＧＵＩによる操作の一例を説明する図。
【図４】警告メッセージ画面の表示の一例を示す図。
【図５】本発明の映像システムを監視するソフトウエアのフローチャート図。
【図６】本発明のＧＵＩによる操作の一例を説明する図。
【図７】現在のシステムの状態を説明するメッセージ画面の表示の一例を示す図。
【図８】本発明の映像編集装置の構成の一例を示すブロック図。
【図９】本発明の警告メッセージ画面の他の表示例を示す図。
【符号の説明】
【００２９】
１０：ログ画像表示パネル、１０１−１，１０１−２，１０１−３，１０１−４，１０１−５，１０１−６，１０１−７，１０１−８：取得した画像、１０２−１，１０２−２，１０２−３，１０２−４，１０２−５，１０２−６，１０２−７，１０２−８：タイムコード、１０３：色枠、１０４：ノイズが検出されたときの画像、１０５：スクロールバー、  ２０１：映像再生装置、２０２：第１のモニタ、２０３：制御用コンピュータ、２０４：ディスプレイ、２０５：キーボード、２０６：マウス、２０７：映像記録再生装置、２０８：映像素材、２０９：第２のモニタ、２１０：映像記録媒体、２１１：ログファイル部、  ３０：ＧＵＩ操作画面、３０１：グラフィックス部品の押しボタン、３０２−１，３０２−２，３０２−３：表示画面、４０，４０’：警告メッセージ画面、４０１，４０１’：警告メッセージ、４０２：異常表示マーク、４０３：押しボタン、６０：ＧＵＩ操作画面、  ６００：ダビング開始ボタン、６０１：映像再生パネル、６０２：映像信号切換ボタン(グラフィックス部品)、６０３：ログ画像表示ボタン(グラフィックス部品)、６０４：映像再生パネル操作部、７０：映像装置の現在のシステム制御状態を説明するメッセージが書かれた表示画面、７０１：映像装置の現在のシステム制御状態を説明するメッセージ、７０２：映像装置の現在のシステム制御の進行状態を模式的に表示した図形、７０３：キャンセルボタン(グラフィックス部品)。
【図１】
2005245011.tif 000003
【図２】
2005245011.tif 000004
【図３】
2005245011.tif 000005
【図４】
2005245011.tif 000006
【図５】
2005245011.tif 000007
【図６】
2005245011.tif 000008
【図７】
2005245011.tif 000009
【図８】
2005245011.tif 000010
【図９】
2005245011.tif 000011